(57)【要約】【課題】異なる寸法の電子装置を電子機器に接続するときにコネクタの誤挿入を抑制することを課題とする。【解決手段】電子装置接続装置は、電子機器に設けられた電子装置の挿入部の奥側に配置された電子機器側コネクタに、電子装置に設けられた電子装置側コネクタを接続するための装置である。電子装置接続装置は、前記電子装置の挿入方向に対して垂直な方向に移動し、電子装置に接触し、電子装置を挿入部の内壁面へ向かって押圧する押圧体とを備える。さらに、電子装置接続装置は、挿入部に挿入された電子装置に当接する当接部を備え、この当接部が押され回転するように軸支される回転部材を備える。また、この回転部材から延設され、押圧体に係合され、回転部材の回転に伴って、押圧体を電子装置へ押し付けるアームを備える。【選択図】図７
2012099200.tif 000002
【特許請求の範囲】
【請求項１】
電子機器に設けられた電子装置の挿入部の奥側に配置された電子機器側コネクタに、前記電子装置に設けられた電子装置側コネクタを接続するための電子装置接続装置であって、
前記電子装置の挿入方向に対して垂直な方向に移動し、前記電子装置に接触し、前記電子装置を前記挿入部の内壁面へ向かって押圧する押圧体と、
前記挿入部に挿入された前記電子装置に当接する当接部を備え、当該当接部が押されることによって回転する回転部材と、
前記回転部材から延設され、前記押圧体に係合される係合部を有し、前記回転部材の回転に伴って、前記押圧体を前記電子装置へ押し付けるアームと、
を備えたことを特徴とする電子装置接続装置。
【請求項２】
前記押圧体は、前記電子装置の挿入方向前端側に当接するローラ部材を備えたことを特徴とする請求項１記載の電子装置接続装置。
【請求項３】
前記押圧体は、前記電子装置を前記挿入部の底面側へ押圧することを特徴とした請求項１又は２記載の電子装置接続装置。
【請求項４】
前記押圧体は、前記電子装置を前記挿入部の側壁面側へ押圧することを特徴とする請求項１又は２記載の電子装置接続装置。
【請求項５】
前記アームは弾性体で形成されていることを特徴とする請求項１乃至４いずれか一項に記載の電子装置接続装置。
【請求項６】
電子機器に設けられた挿入部の奥側に配置された電子機器側コネクタに、電子装置に設けられた電子装置側コネクタを接続するための電子装置接続方法であって、
前記挿入部に挿入された前記電子装置によって回転部材の当接部を押すことによって前記回転部材を回転させ、前記回転部材と接続された押圧体を前記電子装置の挿入方向に対して垂直な方向に移動させて当該押圧体を前記電子装置に押し付け、前記電子装置を前記挿入部の内壁面へ向かって押圧しつつ前記電子機器側コネクタと前記電子装置側コネクタとを接続することを特徴とする電子装置接続方法。
【発明の詳細な説明】
【技術分野】
【０００１】
本発明は、電子装置接続装置及び電子装置接続方法に関する。
【背景技術】
【０００２】
従来、大きさの異なる二種以上の電子装置（例えば、記録媒体）を装着することが可能な電子機器（例えば、記録媒体装着装置）が種々提案されている。一般的に電子機器は、筐体を備え、その筐体に電子装置を装着する挿入部を備えている。そして、その挿入部の奥側に筐体側のコネクタ（電子機器側コネクタ）を備えている。電子機器に装着される電子装置もコネクタ（電子装置側コネクタ）を備え、この電子装置側コネクタが、電子機器側コネクタに接続される。ここで、挿入部の奥側に設置される電子機器側コネクタは、規格に基づいて設置されているものである。このため、寸法の異なる記録媒体等の電子装置も接続することができる。このように、寸法の異なる電子装置を装着した際に、種々の不都合が考えられるが、このような不都合を解消する種々の提案もされている。
【０００３】
例えば、大きさの異なる二種以上の電子装置を電子機器が備える共通の挿入部へ挿入し、共通するコネクタに接続する場合の不都合として、以下のような、事象が考えられる。すなわち、電子装置の寸法が異なることに起因して、コネクタの接続が適切に行われないことが考えられる。例えば、電子装置の厚みが異なる場合、挿入部の挿入口は、挿入が想定される電子装置のうち、最も大きい寸法に合わせた開口を有する。このような挿入部に厚みが薄い電子装置を挿入すると、電子装置側コネクタが設けられた挿入方向前端側が浮き上がった状態となり、誤挿入が生じるおそれがある。電子装置の寸法の相違に対応すべく、挿入部の開口に蓋体を設けることが考えられるが、この場合であっても挿入部の内部で同様の浮き上がりが生じるおそれがある。
【０００４】
このような誤挿入を抑制できると考えられる提案として特許文献１の提案がある。特許文献１には、装着部材に電子装置に相当する記録媒体を挟持する挟持部が開示されている。具体的には、この挟持部に弾性体が設けられ、この弾性体をリムーバブルハードディスク（記録媒体、電子装置の一例に相当）の側面の長手方向に形成されたスライド溝に係合させて挿入する提案がされている。
【先行技術文献】
【特許文献】
【０００５】
【特許文献１】特開２００６−２９４１７３号公報
【発明の概要】
【発明が解決しようとする課題】
【０００６】
ところで、挿入部に挿入される電子装置の寸法の相違を是正するためのアダプタを装着することも考えられる。しかし、アダプタ自体が別個の部品となり、アダプタの準備、装着が煩雑となる。また、アダプタを装着することにより、電子装置の筐体に負担（ストレス）が加わるおそれがある。例えば、電子装置が記憶媒体の一例であるＨＤＤ（Hard Disc Drive）である場合、天板部にアダプタを装着した状態で、挿入部への挿脱を行うとＨＤＤを損傷してしまうおそれもある。
【０００７】
特許文献１では、前記のように、装着部材に記録媒体を挟持する挟持部を設け、この挟持部が備える弾性体をリムーバブルハードディスクの側面の長手方向に形成されたスライド溝に係合させている。このようにすれば、電子装置の損傷を抑制しつつ、コネクタの誤挿入を低減することができると考えられる。
【０００８】
しかしながら、特許文献１の提案では、リムーバブルハードディスク側にスライド溝が設けられていなければならない。すなわち、スライド溝が設けられていないリムーバブルハードディスクのコネクタを接続するときは、依然として誤挿入されるおそれがある。
【０００９】
そこで、本明細書開示の電子装置接続装置及び電子装置接続方法は、異なる寸法の電子装置を電子機器に接続するときにコネクタの誤挿入を抑制することを課題とする。
【課題を解決するための手段】
【００１０】
本明細書開示の電子装置接続装置は、電子機器に設けられた電子装置の挿入部の奥側に配置された電子機器側コネクタに、前記電子装置に設けられた電子装置側コネクタを接続するための電子装置接続装置であって、前記電子装置の挿入方向に対して垂直な方向に移動し、前記電子装置に接触し、前記電子装置を前記挿入部の内壁面へ向かって押圧する押圧体と、前記挿入部に挿入された前記電子装置に当接する当接部を備え、当該当接部が押されることによって回転する回転部材と、前記回転部材から延設され、前記押圧体に係合される係合部を有し、前記回転部材の回転に伴って、前記押圧体を前記電子装置へ押し付けるアームと、を備えたことを特徴とする。
【００１１】
電子装置を挿入部に挿入する動作に伴って、電子装置が当接部を押し、これに伴って回転部材が回転する。この結果、回転部材とアームを介して接続された押圧体が電子装置の挿入方向に対して垂直な方向に移動する。押圧体は、電子装置を挿入部の内壁面へ垂直方向に押し付けるため、電子装置の浮き上がりを抑制し、電子装置側コネクタを電子機器側コネクタに適切に対向させることができる。電子装置側コネクタと電子機器側コネクタとが対向した状態で電子機器がさらに押し込まれれば、コネクタの誤挿入を抑制することができる。
【発明の効果】
【００１２】
本明細書開示の電子装置接続装置によれば、異なる寸法の電子装置を電子機器に接続するときにコネクタの誤挿入を抑制することができる。
【図面の簡単な説明】
【００１３】
【図１】図１（Ａ）は、電子装置の一例である３．５インチのＨＤＤの斜視図であり、図１（Ｂ）は、電子装置の一例である２．５インチのＨＤＤの斜視図である。
【図２】図２は、ＨＤＤが接続されるＨＤＤコピー機の正面図である。
【図３】図３は、比較例の電子装置接続装置の斜視図である。
【図４】図４は、比較例の電子装置接続装置の３面図であり、図４（Ａ）は平面図、図４（Ｂ）は正面図、図４（Ｃ）は側面図である。
【図５】図５（Ａ）は比較例の電子装置接続装置により、３．５インチのＨＤＤが電子機器側コネクタに接続される様子を示す説明図である。図５（Ｂ）は比較例の電子装置接続装置により、２．５インチのＨＤＤが電子機器側コネクタに接続される様子を示す説明図である。図５（Ｃ）は比較例の電子装置接続装置により他の２．５インチのＨＤＤが電子機器側コネクタに接続される様子を示す説明図である。
【図６】図６は、比較例の電子装置接続装置により電子機器側コネクタに接続されるＨＤＤが電子機器側コネクタに対しズレた様子を示す説明図である。
【図７】図７は、実施例１の電子装置接続装置の斜視図である。
【図８】図８は、実施例１の電子装置接続装置の３面図であり、図８（Ａ）は平面図、図８（Ｂ）は正面図、図８（Ｃ）は側面図である。
【図９】図９（Ａ）は実施例１の電子装置接続装置により、３．５インチのＨＤＤが電子機器側コネクタに接続される様子を示す説明図である。図９（Ｂ）は実施例１の電子装置接続装置により、２．５インチのＨＤＤが電子機器側コネクタに接続される様子を示す説明図である。図９（Ｃ）は実施例１の電子装置接続装置により他の２．５インチのＨＤＤが電子機器側コネクタに接続される様子を示す説明図である。
【図１０】図１０は、実施例２の電子装置接続装置の斜視図である。
【図１１】図１１は、実施例２の電子装置接続装置の３面図であり、図１１（Ａ）は平面図、図１１（Ｂ）は正面図、図１１（Ｃ）は側面図である。
【発明を実施するための形態】
【００１４】
以下、本発明の実施形態について、添付図面を参照しつつ説明する。ただし、図面中、各部の寸法、比率等は、実際のものと完全に一致するようには図示されていない場合がある。
【実施例１】
【００１５】
実施例１の電子装置接続装置１について、比較例の電子装置接続装置１００とともに説明する。実施例１の電子装置接続装置１及び比較例の電子装置接続装置１００は、いずれも、電子機器の一例であるＨＤＤコピー機５０に、電子装置の一例である記録媒体を接続するための装置である。実施例１及び比較例におけるに記録媒体は、ＨＤＤ１５０（１６０、１７０）である。ＨＤＤは、記録媒体の一例である。図１（Ａ）は、３．５インチのＨＤＤ１５０の斜視図であり、図１（Ｂ）は、２．５インチのＨＤＤ１６０の斜視図である。ＨＤＤ１５０とＨＤＤ１６０は、長さ、幅、厚みの各寸法が異なっている。また、図５（Ｃ）や、図９（Ｃ）に示す２．５インチのＨＤＤ１７０は、ＨＤＤ１６０と比較して厚みが薄い。ＨＤＤ１５０は、天板部１５１ａを備えた筐体１５１を有する。そして、電子装置側コネクタ１５２を備える。ＨＤＤ１６０も同様に、天板部１６１ａを備えた筐体１６１と、電子装置側コネクタ１６２を有する。ＨＤＤ１７０も同様に、天板部１７１ａを備えた筐体１７１と、電子装置側コネクタ１７２を有する。ここで、電子装置側コネクタ１５２、１６２、１７２は同一のものであり、ＳＡＴＡ（Serial Technology Attachment）規格に基づいたものである。
【００１６】
図２は、実施例１の電子装置接続装置１及び比較例の電子装置接続装置１００が装着されるＨＤＤコピー機５０を模式的に示した正面図である。ＨＤＤコピー機５０は、筐体５１を備えており、ＨＤＤ１５０（１６０、１７０）が挿入される複数の挿入部５２が設けられている。この挿入部５２は、挿入が想定される最も大きい寸法のＨＤＤが挿入されることを想定して設けられている。実施例１における挿入部５２は、３．５インチのＨＤＤ１５０を挿入することができる。挿入部５２の奥側には電子機器側コネクタ５３が配置されている。電子機器側コネクタ５３は、ＳＡＴＡ（Serial Technology Attachment）規格に基づいたものである。挿入部５２は、その内壁面として底面５２ａと側壁面５２ｂを備える。
【００１７】
まず、比較例の電子装置接続装置１００について図３乃至図６を参照しつつ説明する。図３は、比較例の電子装置接続装置１００の斜視図である。図４は、比較例の電子装置接続装置１００の３面図であり、図４（Ａ）は平面図、図４（Ｂ）は正面図、図４（Ｃ）は側面図である。
【００１８】
電子装置接続装置１００は、筐体１５１に軸部材１０１によって軸支された回転部材１０２を備えている。回転部材１０２は、挿入部５２に挿入されるＨＤＤ１５０（１６０、１７０）の挿入方向前端側の端面に当接する当接部１０２ａを備えている。さらに、回転部材１０２は、アーム取付部１０２ｂを備えている。このアーム取付部１０２ｂには、弾性体からなり、可撓性を有するアーム１０３が取り付けられている。アーム１０３の先端部にはローラ部材１０４が装着されている。アーム１０３は、挿入部に挿入される種々のＨＤＤの厚みに対応させるために、ある程度の長さを備えている。アーム取付部１０２ｂには、アーム１０３を元の位置に復帰させる復帰手段としてのバネ部材１０５が装着されている。
【００１９】
電子装置接続装置１００が備える挿入部５２内に挿入されたＨＤＤの挿入方向前端側の端面が当接部１０２ａに当接し、その状態でさらにＨＤＤを押し込むと、回転部材１０２が回転を開始する。これに伴って、アーム１０３が回転し、ローラ部材１０４がＨＤＤの天板部に接触して押圧する。
【００２０】
図５（Ａ）は、比較例の電子装置接続装置１００により、３．５インチのＨＤＤ１５０が電子機器側コネクタ５３に接続される様子を示す説明図である。ＨＤＤ１５０は、図５（Ａ）中、矢示Ｘの方向に挿入される。これにより、電子装置側コネクタ１５２が設けられた挿入方向前端側の端面に当接部１０２ａが当接する。この状態からＨＤＤ１５０がさらに押し込まれると、回転部材１０２が回転を開始する。これに伴って、アーム１０３が回転し、ローラ部材１０４がＨＤＤ１５０の天板部１５１ａに接触して押圧する。押圧されたＨＤＤ１５０は、挿入部５２の底面５２ａへ押し付けられる。この状態を維持しつつ、ＨＤＤ１５０をさらに矢示Ｘ方向へ押し込むと、電子装置側コネクタ１５２と電子機器側コネクタ５３とを接続することができる。
【００２１】
図５（Ｂ）は、比較例の電子装置接続装置１００により、２．５インチのＨＤＤ１６０が電子機器側コネクタ５３に接続される様子を示す説明図である。ＨＤＤ１６０の厚みは１２．５ｍｍであり、図５（Ａ）で示したＨＤＤ１５０よりも薄い。ＨＤＤ１６０は、図５（Ｂ）中、矢示Ｘの方向に挿入される。これにより、電子装置側コネクタ１６２が設けられた挿入方向前端側の端面に当接部１０２ａが当接する。この状態からＨＤＤ１６０がさらに押し込まれると、回転部材１０２が回転を開始する。これに伴って、アーム１０３が回転し、ローラ部材１０４がＨＤＤ１６０の天板部１６１ａに接触して押圧する。押圧されたＨＤＤ１６０は、挿入部５２の底面５２ａへ押し付けられる。この状態を維持しつつ、ＨＤＤ１６０をさらに矢示Ｘ方向へ押し込むと、電子装置側コネクタ１５２と電子機器側コネクタ５３とを接続することができる。
【００２２】
図５（Ｃ）は、比較例の電子装置接続装置１００により他の２．５インチのＨＤＤ１７０が電子機器側コネクタ５３に接続される様子を示す説明図である。ＨＤＤ１７０の厚みは９．５ｍｍであり、図５（Ｂ）で示したＨＤＤ１６０よりも薄い。ＨＤＤ１７０は、図５（Ｃ）中、矢示Ｘの方向に挿入される。これにより、電子装置側コネクタ１７２が設けられた挿入方向前端側の端面に当接部１０２ａが当接する。この状態からＨＤＤ１７０がさらに押し込まれると、回転部材１０２が回転を開始する。これに伴って、アーム１０３が回転し、ローラ部材１０４がＨＤＤ１７０の天板部１７１ａに接触して押圧する。押圧されたＨＤＤ１７０は、挿入部５２の底面５２ａへ押し付けられる。この状態を維持しつつ、ＨＤＤ１７０をさらに矢示Ｘ方向へ押し込むと、電子装置側コネクタ１５２と電子機器側コネクタ５３とを接続することができる。
【００２３】
このように、比較例の電子装置接続装置１００によれば、ローラ部材１０４がＨＤＤ１５０（１６０、１７０）の天板部１５１ａ（１６１ａ、１７１ａ）を押圧し、ＨＤＤ１５０（１６０、１７０）を挿入部５２の底面５２ａへ押し付けることができる。
【００２４】
しかしながら、図６に示すように、ＨＤＤ１７０を挿入部５２へ挿入する場合、ローラ部材１４０の位置が挿入部５２の開口に近い側となる。すなわち、図５（Ａ）〜図５（Ｃ）に示すように、ローラ部材１４０の位置は、ＨＤＤの厚みが厚いほど、挿入方向前端側、すなわち、挿入部５２の奥側となる。言い換えれば、ローラ部材１４０の位置は、ＨＤＤの厚みが薄い程、挿入方向手前側となる挿入部５２の開口に近い側となる。
【００２５】
電子機器側コネクタ５３と電子装置側コネクタ１５２（１６２、１７２）を適切に対向させるためには、ローラ部材１４は、できるだけ、ＨＤＤ１５０（１６０、１７０）の挿入方向前端側を押圧するのが望ましい。ＨＤＤ１５０（１６０、１７０）の挿入方向前端側が押圧されれば、電子装置側コネクタ１５２（１６２、１７２）の浮き上がりを抑制することができるためである。しかしながら、上記のように、ＨＤＤの厚みが薄くなるほど押圧される位置は、挿入方向手前側となる。このため、電子装置接続装置１００を用いた場合でも、図６に示すように、電子装置側コネクタ１７２が浮き上がってしまい、電子機器側コネクタ５３と適切に対向することができないことが想定される。このような状態では、誤挿入が生じるおそれが高い。このような誤挿入が発生する確率は、ＨＤＤの厚みが薄いほど高くなるといえる。
【００２６】
また、ＨＤＤ１５０（１６０、１７０）の挿入動作に伴って、ローラ部材４は、ＨＤＤ１５０（１６０、１７０）の天板部１５１ａ（１６１ａ、１７１ａ）上を移動する。このような、ローラ部材４の移動は、筐体１５１（１６１、１７１）にストレスを加えることになり、望ましくない。
【００２７】
つぎに、実施例１の電子装置接続装置１について図７乃至図９を参照しつつ説明する。図７は、実施例１の電子装置接続装置１の斜視図である。図８は、実施例１の電子装置接続装置１の３面図であり、図８（Ａ）は平面図、図８（Ｂ）は正面図、図８（Ｃ）は側面図である。なお、図７、図８は、２．５インチのＨＤＤ１７０を挿入した状態を示している。
【００２８】
電子装置接続装置１は、スライドレール２、このスライドレール２に沿って移動するスライダ３を備えている。さらに、このスライダ３と一体となって移動し、ＨＤＤ１７０に接触し、挿入部５２の内壁面へ向かって押圧する押圧体４を備えている。この押圧体４は、ＨＤＤ１７０の挿入方向に対して垂直な方向に移動する。ここで、押圧体４は、挿入方向に対して完全に垂直な方向に移動することが求められるものではない。例えば、挿入方向に対して斜めに移動してＨＤＤ１７０と接触するようにしてもよい。要は、押圧体４は、挿入方向に対して垂直な方向成分を有するように移動するものであればよい。電子装置接続装置１は、筐体５１に軸部材７によって軸支され、挿入部５２に挿入されたＨＤＤ１７０に当接する当接部８ａを備え、この当接部８ａが押されることによって回転する回転部材８を備えている。電子装置接続装置１は、この回転部材８から延設され、押圧体４に係合される係合部９ａを有し、回転部材８の回転に伴って、押圧体４をＨＤＤ１７０へ押し付けるアーム９を備えている。また、電子装置接続装置１は、ＨＤＤ１７０が挿入部５２から引き抜かれる動作に伴って、押圧体４を元の位置へ復帰させる復帰手段としてのバネ部材１０を備えている。
【００２９】
スライドレール２は、スライダ３とともに移動する押圧体４によってＨＤＤ１７０を挿入部５２の内壁面（実施例１においては、底面５２ａ）へ押し付けることができるように設けられている。実施例１のスライドレール２は、図８に示すように、挿入方向Ｘと直交する方向（Ｙ方向）に延設されている。なお、スライドレール２は、押圧体４により、ＨＤＤ１７０を底面５２へ垂直に押し付けることができれば、傾斜させて設置することもできる。ＨＤＤ１７０の挿入方向Ｘと直交する方向成分（Ｙ方向成分）を有する方向にスライダ３を移動させることができればよい。
【００３０】
押圧体４は、スライダ３と一体的に設けられている。スライダ３と別個に設けた押圧体４をスライダ３に取り付けてもよいし、スライダ３と一体成形としてもよい。押圧体４は、後に詳述するアーム９の係合部９ａが係合するガイド部５を備えている。このガイド部５は、図８（Ｃ）に示すように挿入方向Ｘに延びる長円溝である。押圧体４は、ＨＤＤ１７０の挿入方向前端側に当接するローラ部材６を備えている。また、押圧体４は、挿入方向前端側から手前側に向かってＨＤＤ１７０の天板部１７１ａに接触することができるようになっている。これにより、押圧体４は、電子装置側コネクタ１７２が設けられたＨＤＤ１７０の挿入方向前端側の浮き上がりを抑制することができる。この結果、電子装置側コネクタ１７２と電子機器側コネクタ５３を適切に対向させることができる。ここで、挿入方向前端側とは、図１（Ａ）に二点鎖線で示す領域Ａ１や、図１（Ｂ）に二点鎖線で示す領域Ａ２で示す領域とすることができる。ローラ部材６は、少なくとも、ＨＤＤ１７０の挿入方向の中間点よりも前端側に接触するように設ける。これにより、有効にＨＤＤ１７０の挿入方向前端側の浮き上がりを抑制することができる。
【００３１】
アーム９は、弾性体からなり、可撓性を備え、回転部材８のアーム取付部８ｂから延設されている。アーム９は、その先端部に係合部９ａを備えている。この係合部９ａは、押圧体４に設けられたガイド部５に係合される。アーム９は、回転部材８の回転に伴って回転し、押圧体４を引き付ける。回転部材８は、当接部８ａがＨＤＤ１７０によって押されることに回転する。このため、押圧体４は、ＨＤＤ１７０の挿入動作に伴ってＨＤＤ１７０の天板部１７１ａに接近、当接する。そして、天板部１７１ａに当接した押圧体は１４は、ＨＤＤ１７０を底面５２ａ側に押し付ける。
【００３２】
バネ部材１０は、ＨＤＤ１７０が挿入部５２から引き抜かれる動作に伴って、すなわち、当接部８ａを押し込む力の解除に伴って押圧体４を元の位置へ復帰させる。バネ部材１０は、押圧体４を元の位置に復帰させることができるものであればどのような形態のものであってもよい。
【００３３】
なお、電子装置接続装置１の各要素は、ＨＤＤ１７０に代えてＨＤＤ１５０、１６０を挿入部５２に挿入した場合であっても同様の動作をする。
【００３４】
このような電子装置接続装置１を用いることによる電子装置接続方法をまとめると以下の如くである。
【００３５】
すなわち、挿入部５２に挿入されたＨＤＤ１５０（１６０、１７０）によって回転部材８の当接部８ａを押すことによって回転部材８を回転させる。そして、回転部材８と接続され、スライドレール２に沿ってスライドする押圧体４を移動させて、この押圧体４をＨＤＤ１５０（１６０、１７０）に押し付ける。さらに、ＨＤＤ１５０（１６０、１７０）を挿入部５２の内壁面（底面５２ａ）へ向かって押圧しつつ電子機器側コネクタ５３と電子装置側コネクタ１５２（１６２、１７２）とを接続する。以下、さらに詳細に、電子装置接続装置１の動作を説明する。
【００３６】
図９（Ａ）は、実施例１の電子装置接続装置１により、３．５インチのＨＤＤ１５０が電子機器側コネクタ５３に接続される様子を示す説明図である。ＨＤＤ１５０は、図９（Ａ）中、矢示Ｘの方向に挿入される。これにより、電子装置側コネクタ１５２が設けられた挿入方向前端側の端面に当接部８ａが当接する。この状態からＨＤＤ１５０がさらに押し込まれると、回転部材８が回転を開始する。これに伴って、アーム９が回転し、押圧体４をスライドレール２に沿って引き下げる。そして、押圧体４及び押圧体４に設けられたローラ部材６がＨＤＤ１５０の天板部１５１ａに接触して押圧する。押圧されたＨＤＤ１５０は、挿入部５２の底面５２ａへ押し付けられる。この状態を維持しつつ、ＨＤＤ１５０をさらに矢示Ｘ方向へ押し込むと、電子装置側コネクタ１５２と電子機器側コネクタ５３とを接続することができる。
【００３７】
図９（Ｂ）は実施例１の電子装置接続装置１により、２．５インチのＨＤＤ１６０が電子機器側コネクタに接続される様子を示す説明図である。ＨＤＤ１６０は、図９（Ｂ）中、矢示Ｘの方向に挿入される。これにより、電子装置側コネクタ１６２が設けられた挿入方向前端側の端面に当接部８ａが当接する。この状態からＨＤＤ１６０がさらに押し込まれると、回転部材８が回転を開始する。これに伴って、アーム９が回転し、押圧体４をスライドレール２に沿って引き下げる。そして、押圧体４及び押圧体４に設けられたローラ部材６がＨＤＤ１６０の天板部１６１ａに接触して押圧する。押圧されたＨＤＤ１６０は、挿入部５２の底面５２ａへ押し付けられる。この状態を維持しつつ、ＨＤＤ１６０をさらに矢示Ｘ方向へ押し込むと、電子装置側コネクタ１５２と電子機器側コネクタ５３とを接続することができる。
【００３８】
図９（Ｃ）は、実施例１の電子装置接続装置１により他の２．５インチのＨＤＤ１７０が電子機器側コネクタに接続される様子を示す説明図である。ＨＤＤ１７０は、図９（Ｃ）中、矢示Ｘの方向に挿入される。これにより、電子装置側コネクタ１７２が設けられた挿入方向前端側の端面に当接部８ａが当接する。この状態からＨＤＤ１７０がさらに押し込まれると、回転部材８が回転を開始する。これに伴って、アーム９が回転し、押圧体４をスライドレール２に沿って引き下げる。そして、押圧体４及び押圧体４に設けられたローラ部材６がＨＤＤ１７０の天板部１７１ａに接触して押圧する。押圧されたＨＤＤ１７０は、挿入部５２の底面５２ａへ押し付けられる。この状態を維持しつつ、ＨＤＤ１７０をさらに矢示Ｘ方向へ押し込むと、電子装置側コネクタ１５２と電子機器側コネクタ５３とを接続することができる。
【００３９】
以上説明したように、実施例１の電子装置接続装置１によれば、ＨＤＤ１５０（１６０、１７０）の挿入部５２への挿入動作に伴って回転部材８を回転させ、スライドレール２に沿って押圧体４を引き寄せることができる。そして、押圧体４は、ＨＤＤ１５０（１６０、１７０）を底面５２ａに向かって垂直に押し付けることができる。押圧体４は、ＨＤＤ１５０（１６０、１７０）の挿入方向前端側Ａ１、Ａ２にローラ部材６を備えている。このため、特に、電子装置側コネクタ１５２（１６２、１７２）が装着されたＨＤＤ１５０（１６０、１７０）の挿入方向前端側の浮き上がりを効果的に抑制することができる。この効果は、ＨＤＤの寸法が異なる場合であっても得ることができる。すなわち、ＨＤＤの厚みの相違に対応すべく、アーム９は、所望の長さを備えるが、アーム９の長さにかかわらず、ローラ部材６がＨＤＤ１５０（１６０、１７０）の挿入方向前端側の浮き上がりを効果的に抑制することができる。なお、ローラ部材６を省略することもできるが、ローラ部材６を備えることにより、ＨＤＤ１５０（１６０、１７０）の挿入動作に伴う天板部１５１ａ（１６１ａ、１７１ａ）のストレスを緩和することができる。
【００４０】
このように実施例１の電子装置接続装置１によれば、異なる寸法のＨＤＤ（電子装置）をＨＤＤコピー機５０（電子機器）に接続するときにコネクタの誤挿入を抑制することができる。
【実施例２】
【００４１】
つぎに、実施例２について、図１０、図１１を参照しつつ説明する。図１０は、実施例２における電子装置接続装置１、３１の斜視図である。図１１は、実施例２の電子装置接続装置１、３１の３面図であり、図１１（Ａ）は平面図、図１１（Ｂ）は正面図、図１１（Ｃ）は側面図である。なお、図１０、図１１は、２．５インチのＨＤＤ１７０を挿入した状態を示している。
【００４２】
実施例２は、実施例１の電子装置接続装置１に加えて、電子装置接続装置３１を用いる例である。電子装置接続装置３１は、電子装置接続装置１と同一の構成である。すなわち、電子装置接続装置３１は、スライドレール３２、スライダ３３、押圧体３４を備えている。押圧体３４にガイド部３５が設けられ、ローラ部材３６が備えられている点も同一である。さらに、軸部材３７によって軸支された回転部材３８を備え、回転部材３８に当接部３８ａが設けられている点も同一である。さらに、アーム３９を備え、アーム３９の先端部に設けられた係合部３９ａがガイド部３５に係合されている点も同一である。さらに、バネ部材１０と共通のバネ部材４０も備えている。
【００４３】
電子装置接続装置３１は、図１０、１１に示すようにＨＤＤコピー機５０に対する設置の向きが、電子装置接続装置１と異なっている。すなわち、電子装置接続装置１に対して９０°回転させた向きに設置されている。このように設置された電子装置接続装置３１は、図１１（Ｂ）に示すようにＨＤＤ１７０を挿入部５２の側壁面５２ｂ側に押圧する。すなわち、押圧体３４が押圧する内壁面を側壁面５２ｂとしている。
【００４４】
電子装置接続装置１は、ＨＤＤ１７０を底面５２ａ側へ押し付ける。一方、電子装置接続装置３１は、ＨＤＤ１７０を側壁面５２ｂへ押し付ける。これにより、より的確に電子装置側コネクタ１７２と電子機器側コネクタ５３とを対向させることができる。
【００４５】
この結果、異なる寸法のＨＤＤ（電子装置）をＨＤＤコピー機５０（電子機器）に接続するときにコネクタの誤挿入を抑制する効果を増大させることができる。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
【符号の説明】
【００４７】
１…電子装置接続装置
２…スライドレール
３…スライダ
４…押圧体
５…ガイド部
６…ローラ部材
７…軸部材
８…回転部材
８ａ…当接部
８ｂ…アーム取付部
９…アーム
９ａ…係合部
１０…バネ部材
５０…ＨＤＤコピー機
５１…筐体
５２…挿入部
５３…電子機器側コネクタ
１５０…３．５インチＨＤＤ
１６０…２．５インチＨＤＤ（厚さ１２．５ｍｍ）
１７０…２．５インチＨＤＤ（厚さ９．５ｍｍ）
【図１】
2012099200.tif 000003
【図２】
2012099200.tif 000004
【図３】
2012099200.tif 000005
【図４】
2012099200.tif 000006
【図５】
2012099200.tif 000007
【図６】
2012099200.tif 000008
【図７】
2012099200.tif 000009
【図８】
2012099200.tif 000010
【図９】
2012099200.tif 000011
【図１０】
2012099200.tif 000012
【図１１】
2012099200.tif 000013